(57)【要約】【課題】有機化合物の分子レベルの分解処理を簡易な構成で可能とし、小規模処理に適する有機化合物の分解処理システムを提供する。【解決手段】有機化合物の分解処理システムは、有機化合物を液体中に溶解状に混入した有機物混入液Ａを貯留する貯留部２と、この貯留部２の有機物混入液Ａを強制的に吸入して再び貯留部２に吐出することにより循環させる強制循環手段３と、この強制循環手段３の吐出口に介設して循環液に超音波を作用させる超音波処理部４とから構成したものである。【選択図】図１
2007203229.tif 000002
【特許請求の範囲】
【請求項１】
有機化合物を液体中に溶解状に混入した有機物混入液を貯留する貯留部と、この貯留部の有機物混入液を強制的に吸入して再び貯留部に吐出することにより循環させる強制循環手段と、この強制循環手段の吐出口に介設して循環液に超音波を作用させる超音波処理部とからなる有機化合物の分解処理システム。
【請求項２】
前記強制循環手段および超音波処理部は、両者を一体的にまたは一体化可能に、かつ、貯留部と別体に構成してなることを特徴とする請求項１記載の有機化合物の分解処理システム。
【請求項３】
前記超音波処理部は、強制循環手段の吐出口を形成するとともに、強制循環される循環液の通過によって超音波を発生しうるノズルによって形成してなることを特徴とすることを特徴とする請求項１記載の有機化合物の分解処理システム。
【発明の詳細な説明】
【技術分野】
【０００１】
本発明は、有機化合物を分子レベルで分解することができる有機化合物の分解処理システムに関するものである。
【背景技術】
【０００２】
種々の化学合成方法の成果として多様な有機化合物が産業面および生活面で用いられており、これら多様な有機化合物は、その機能を終えた場合における個々の再資源化が環境上の急務であることから、煩わしい素材別の分別処理を要することのない実用性ある処理方法として、化学的方法または熱分解方法等による処理例が提案されている。
【発明の開示】
【発明が解決しようとする課題】
【０００３】
しかしながら、有機化合物の分解処理において、化学的方法による場合は後処理を含め全体の処理工程の複雑化を招き、また、熱分解方法による場合は装置が大掛かりとなり、大規模な専用施設が必要となる。そのほか、力学的方法による場合は微細化処理に限度ががあることから、分子レベルの分解処理は困難である。
【０００４】
本発明の目的は、有機化合物の分子レベルの分解処理を簡易な構成で可能とし、小規模処理に適する有機化合物の分解処理システムを提供することにある。
【課題を解決するための手段】
【０００５】
請求項１の発明に係る有機化合物の分解処理システムは、有機化合物を液体中に溶解状に混入した有機物混入液を貯留する貯留部と、この貯留部の有機物混入液を強制的に吸入して循環吐出させる強制循環手段と、この強制循環手段の吐出口に臨んで循環液に超音波を作用させる超音波処理部とから構成することを特徴とする。
上記分解処理システムは、貯留部の有機物混入液が強制循環手段によって強制的に吸入吐出により循環され、その吐出口を通過する際に超音波処理部から超音波の作用を受ける。
【０００６】
請求項２の発明は、請求項１の構成において、前記強制循環手段および超音波処理部は、両者を一体的にまたは一体化可能に、かつ、貯留部と別体に構成してなることを特徴とする。
上記システムは、一体構成された強制循環手段および超音波処理部によって貯留部の有機物混入液が分解処理される。
【０００７】
請求項３の発明は、請求項１の構成において、前記超音波処理部は、強制循環手段の吐出口を形成するとともに、強制循環される吐出流体の通過によって超音波を発生しうるノズルによって形成してなることを特徴とする。
上記分解処理システムは、超音波処理部をノズルによって簡易に構成することができ、このノズルによる超音波処理部を通過する循環液は、キャビテーションを伴う急激な圧力変化による超音波作用を受けて有機化合物が分子レベルで分解される。
【発明の効果】
【０００８】
請求項１の構成により、上記システムは、貯留部の有機物混入液が強制循環手段によって強制的に吸入吐出されて循環され、その吐出口を通過する際に超音波処理部から超音波作用を受けることにより、循環液中の有機化合物が分子レベルで分解される。
したがって、貯留部、強制循環手段、超音波処理部とからなる簡易な構成により、有機化合物の分子レベルの分解処理が可能となる。
【０００９】
請求項２の構成により、上記システムは、強制循環手段および超音波処理部を一体化したものを貯留部内に配置することによって貯留部の有機物混入液を処理することができる。
【００１０】
請求項３の構成により、上記分解処理システムは、超音波処理部をノズルによって簡易に構成することができ、このノズルによる超音波処理部を通過する循環液は、キャビテーションを伴う急激な圧力変化による超音波作用を受けて有機化合物が分子レベルで分解される。
【発明を実施するための最良の形態】
【００１１】
本発明に係る有機化合物の分解処理システム１は、図１のシステム構成図に示すように、有機化合物を液体中に溶解状に混入した有機物混入液Ａを貯留する貯留部２と、この貯留部２の有機物混入液Ａを強制的に吸入して再び貯留部２に吐出循環させる強制循環手段３と、この強制循環手段３により貯留部２に吐出される循環液に対して超音波を作用させる超音波処理部４とから構成する。
【００１２】
詳細に説明すると、有機物混入液Ａを貯留するタンク等によって貯留部２を構成し、この貯留部２には、強制循環手段３を連通して構成する。この強制循環手段３は、循環路３ａにポンプ等による圧送部３ｂを介設して構成し、圧送部３ｂの上流側に流量計５、下流側に圧力計６を配置する。循環路３ａの吐出口には、超音波の発生が可能なノズル等を介設して超音波処理部４を構成する。
【００１３】
超音波処理部４の具体的なノズル構成は、図２の縦断面図に示すように、循環路３ａから循環液を受ける案内部４ａと、この案内部４ａより傾斜縮径する絞り部４ｂと、この絞り部４ｂから傾斜拡径して貯留部２に送出する送出部４ｃとから構成する。
【００１４】
上記構成の分解処理システム１は、貯留部２の有機物混入液Ａが圧送部３ｂによって強制的に循環され、その吐出口を通過する際に超音波処理部４から超音波の作用を受けることにより、循環液中の有機化合物が分子レベルで分解される。したがって、貯留部２、強制循環手段３、超音波処理部４等からなる簡易な構成により、有機化合物の分子レベルの分解処理が可能となる。
【００１５】
上記分解処理システム１は、強制循環手段３および超音波処理部４を一体化して構成し、これを貯留部２の内部に配置することによって貯留部２の有機物混入液Ａを分解処理することができる。また、上記分解処理システム１は、水中ウォータージェットを発生する簡易なノズルにより超音波処理部４を構成することができ、このノズルによる超音波処理部４を通過する循環液は、キャビテーションを伴う急激な圧力変化による超音波作用を受けて有機化合物が分子レベルで分解される。
【００１６】
ノズルによる超音波作用は強制循環手段３との関係により調節され、例えば、下水処理による余剰汚泥の分解処理の実測例においては、有機物混入試験液（濃度１５％）について、所定時間の循環運転後において濃度５％まで低減した測定値が得られた。この場合の分解の効果は、顕微鏡観察によっても混入有機物の低減を観測することができた。
【産業上の利用可能性】
【００１７】
上記分解処理システム１は、上記試験液に限らず、液状に溶解混入可能な有機物全般について超音波発生手段により分解処理することが可能であり、ノズルによる小回りのきくシステム構成が可能となり、再資源化の前段処理として幅広く適用することができる。
【図面の簡単な説明】
【００１８】
【図１】有機化合物の分解処理システムの構成図である。
【図２】ノズルの縦断面図である。
【符号の説明】
【００１９】
１    分解処理システム
２    貯留部
３    強制循環手段
３ａ    循環路
３ｂ    圧送部
４    超音波処理部（ノズル）
４ａ    案内部
４ｂ    絞り部
４ｃ    送出部
Ａ    有機物混入液
【図１】
2007203229.tif 000003
【図２】
2007203229.tif 000004